(57)【要約】【課題】ほぼ１回分の使用量に相当する喉用薬液を充填し、容易に開封使用でき、かつノズルの方向が定まった状態で開封できる携帯用薬液容器を提供すること。【解決手段】少量の薬液を充填する使い捨て型の携帯用薬液容器１であって、所定の位置で少なくとも２分割に折曲できる板状体５の裏面側に、薬液の充填された袋体２が固着され、容器１の所定位置からノズル６が延設されており、板状体５を折曲させた状態でノズル６と袋体２内部とを連通させる。【選択図】図３
2008010262.tif 000002
【特許請求の範囲】
【請求項１】
少量の薬液を充填する使い捨て型の携帯用薬液容器であって、
所定の位置で少なくとも２分割に折曲できる板状体の裏面側に、薬液の充填された袋体が固着され、前記容器の所定位置からノズルが延設されており、前記板状体を折曲させた状態で前記ノズルと前記袋体内部とを連通させることを特徴とする携帯用薬液容器。
【請求項２】
前記板状体を折曲させるときの押圧力を利用して前記ノズルと前記袋体内部とを連通させることを特徴とする請求項１に記載の携帯用薬液容器。
【請求項３】
前記板状体が平板状をなし、その裏面側に折曲可能となっており、該裏面には、内部に突起部が配置された凹部が形成されるとともに、前記ノズルが前記凹部に連通されており、前記板状体を折曲させるときの押圧力によって、前記突起部を、前記凹部に位置する袋体に貫通させ、前記袋体内部の薬液を前記凹部内に流出させて前記ノズルから噴出させるようにしたことを特徴とする請求項１または２に記載の携帯用薬液容器。
【請求項４】
折曲された前記板状体に前記袋体が挟持され、該袋体内部の薬液の圧力が上昇して前記袋体が前記凹部側に膨出することで、前記突起部が前記袋体を貫通することを特徴とする請求項３に記載の携帯用薬液容器。
【請求項５】
２分割に折曲されたときに、一方の板状体から延びる前記ノズルが、他方の板状体から離れることを特徴とする請求項１ないし４のいずれかに記載の携帯用薬液容器。
【請求項６】
前記板状体の形状が、略円盤形状をなすことを特徴とする請求項１ないし５のいずれかに記載の携帯用薬液容器。
【発明の詳細な説明】
【技術分野】
【０００１】
本発明は、ほぼ１回分の使用量に相当する喉用薬液を充填した使い捨て型の携帯用薬液容器に関する。
【背景技術】
【０００２】
従来、喉の炎症などの治療に用いるうがい薬などの薬液を薬液容器に収容するとともに、薬液容器の上部に、長尺の噴霧ノズルを備えた押し下げ式の噴霧ヘッドを設けるようにした喉用噴霧器がある（例えば、特許文献１参照）。【０００３】
【特許文献１】特開２００２−３５５３０７号公報（第２頁、第１図）
【発明の開示】
【発明が解決しようとする課題】
【０００４】
しかしながら、特許文献１に記載の喉用噴霧器にあっては、カバン等に収納して持ち運ぶことはできるが、複数回の薬液を噴霧が行えるように、薬液容器内に大量の薬液を収容するようになっており、喉用噴霧器全体の形状が大きくなってしまい、ポケット等に喉用噴霧器を収納して手軽に携帯する容器としては不適である。【０００５】
本発明は、このような問題点に着目してなされたもので、ほぼ１回分の使用量に相当する喉用薬液を充填する使い捨て型の携帯用薬液容器であって、容易に開封使用でき、かつノズルの方向が定まった状態で開封できる携帯用薬液容器を提供することを目的とする。
【課題を解決するための手段】
【０００６】
前記課題を解決するために、本発明の請求項１に記載の携帯用薬液容器は、
少量の薬液を充填する使い捨て型の携帯用薬液容器であって、
所定の位置で少なくとも２分割に折曲できる板状体の裏面側に、薬液の充填された袋体が固着され、前記容器の所定位置からノズルが延設されており、前記板状体を折曲させた状態で前記ノズルと前記袋体内部とを連通させることを特徴としている。
この特徴によれば、例えば１回分の薬液を充填させた小型で携帯し易い携帯用薬液容器を実現できるばかりか、板状体を２分割に折曲する操作で容易に使用でき、かつ板状体を折曲し始めたときには、袋体に充填された薬液はノズルから噴出せず、板状体を折曲させた状態で使用者がノズルの方向を定めた後に、袋体内の薬液がノズルから噴出されるようになり、携帯用薬液容器の開封時に突発的な薬液の飛散を防止できる。【０００７】
本発明の請求項２に記載の携帯用薬液容器は、請求項１に記載の携帯用薬液容器であって、
前記板状体を折曲させるときの押圧力を利用して前記ノズルと前記袋体内部とを連通させることを特徴としている。
この特徴によれば、板状体を折曲させるときの押圧力を利用して、袋体内部の薬液がノズルから噴出されるようになり、携帯用薬液容器の開封操作を容易にすることができる。【０００８】
本発明の請求項３に記載の携帯用薬液容器は、請求項１または２に記載の携帯用薬液容器であって、
前記板状体が平板状をなし、その裏面側に折曲可能となっており、該裏面には、内部に突起部が配置された凹部が形成されるとともに、前記ノズルが前記凹部に連通されており、前記板状体を折曲させるときの押圧力によって、前記突起部を、前記凹部に位置する袋体に貫通させ、前記袋体内部の薬液を前記凹部内に流出させて前記ノズルから噴出させるようにしたことを特徴としている。
この特徴によれば、ノズルが凹部と連通しており、袋体が凹部内の突起部で確実に破られるようになるため、ノズルにより狙いを定めた方向に薬液を噴出させられる。【０００９】
本発明の請求項４に記載の携帯用薬液容器は、請求項３に記載の携帯用薬液容器であって、
折曲された前記板状体に前記袋体が挟持され、該袋体内部の薬液の圧力が上昇して前記袋体が前記凹部側に膨出することで、前記突起部が前記袋体を貫通することを特徴としている。
この特徴によれば、板状体を折曲させる操作による袋体内部の流体圧の上昇を利用して袋体を突起部側に近づけて、突起部により袋体を貫通できるため、薬液を噴出させる操作を行い易くなる。【００１０】
本発明の請求項５に記載の携帯用薬液容器は、請求項１ないし４のいずれかに記載の携帯用薬液容器であって、
２分割に折曲されたときに、一方の板状体から延びる前記ノズルが、他方の板状体から離れることを特徴としている。
この特徴によれば、ノズルを折曲前の板状体に納めた状態で携帯用薬液容器を持ち運べるようになるため、ノズルが邪魔にならず、かつ持ち運びの途中でノズルが折れることも防ぐことができる。また、板状体の折曲後にノズルが板状体から突出されるため薬液の噴出方向を定め易くすることができる。【００１１】
本発明の請求項６に記載の携帯用薬液容器は、請求項１ないし５のいずれかに記載の携帯用薬液容器であって、
前記板状体の形状が、略円盤形状をなすことを特徴としている。
この特徴によれば、板状体に角が形成されないため、ポケット等に携帯用薬液容器を収納するとき、及びポケット等から携帯用薬液容器を取り出すときに、板状体がポケットの縁に引っかかることを防止できる。
【図面の簡単な説明】
【００１２】
【図１】実施例１におけるうがい薬容器を示す分解斜視図である。
【図２】（ａ）は、開封前のうがい薬容器を示す斜視図であり、（ｂ）は、開封操作したときのうがい薬容器の斜視図であり、（ｃ）は、開封後のうがい薬容器を示す斜視図である。
【図３】（ａ）は、開封前のうがい薬容器を示す断面図であり、（ｂ）は、開封操作したときのうがい薬容器の断面図であり、（ｃ）は、開封後のうがい薬容器を示す断面図である。
【図４】うがい薬容器の使用例を示す図である。
【図５】複数のうがい薬容器を収容する収容ケースを示す斜視図である。
【図６】（ａ）は、実施例２における開封前のうがい薬容器を示す斜視図であり、（ｂ）は、開封操作したときのうがい薬容器の斜視図であり、（ｃ）は、開封後のうがい薬容器を示す斜視図である。
【図７】（ａ）は、開封前のうがい薬容器を示す断面図であり、（ｂ）は、開封操作したときのうがい薬容器の断面図であり、（ｃ）は、開封後のうがい薬容器を示す断面図である。
【図８】（ａ）は、実施例３における開封前のうがい薬容器を示す斜視図であり、（ｂ）は、開封操作したときのうがい薬容器の斜視図であり、（ｃ）は、開封後のうがい薬容器を示す斜視図である。
【図９】（ａ）は、開封前のうがい薬容器を示す断面図であり、（ｂ）は、開封操作したときのうがい薬容器の断面図であり、（ｃ）は、開封後のうがい薬容器を示す断面図である。
【図１０】複数のうがい薬容器が連結された状態を示す斜視図である。
【符号の説明】
【００１３】
１，２０，３２    うがい薬容器（携帯用薬液容器）
２，２１，３４    袋体
３                第１板部材
４                第２板部材
２３              板部材
５，２４，３３    板状体
６，２５，３７    ノズル部
７，２６          嵌合部（シール手段）
８，２７，４０    凹部
９，２８，３９    先端開口部
１０，２９，４１  突起部
１１，３０        膜部（袋体）
４２              膜体（袋体）
１２              係合片（シール手段）
３１，３８        シール体（シール手段）
【発明を実施するための最良の形態】
【００１４】
本発明に係る携帯用薬液容器を実施するための最良の形態を実施例に基づいて以下に説明する。
【実施例１】
【００１５】
本発明の実施例を図面に基づいて説明すると、先ず図１は、実施例１におけるうがい薬容器を示す分解斜視図であり、図２（ａ）は、開封前のうがい薬容器を示す斜視図であり、図２（ｂ）は、開封操作したときのうがい薬容器の斜視図であり、図２（ｃ）は、開封後のうがい薬容器を示す斜視図であり、図３（ａ）は、開封前のうがい薬容器を示す断面図であり、図３（ｂ）は、開封操作したときのうがい薬容器の断面図であり、図３（ｃ）は、開封後のうがい薬容器を示す断面図であり、図４は、うがい薬容器の使用例を示す図であり、図５は、複数のうがい薬容器を収容する収容ケースを示す斜視図である。【００１６】
図１の符号１は、喉の炎症などの治療に用いるうがい薬等の薬液を充填して携帯できるようにした使い捨て型の実施例１における携帯用薬液容器としてのうがい薬容器である。このうがい薬容器１は、１回分の使用量に相当する液体状のうがい薬が充填される略円盤状の袋体２と、各々が略半円形状をなし、互いに連結される第１板部材３と第２板部材４とで構成されている。【００１７】
図１に示すように、第１板部材３と第２板部材４とは、各々の接合面３ａ，４ａ同士が接着剤等を用いて連結されるようになっている。第１板部材３と第２板部材４とが連結されると、円盤状をなす板状体５が形成される（図２（ａ）参照）。尚、使用者が板状体５の周縁端部を指で摘まんで力を加えて板状体５を折り曲げると、第１板部材３と第２板部材４との接合面３ａ，４ａ同士が離れる程度の強度で、第１板部材３と第２板部材４とが接着される。【００１８】
また、第１板部材３には、長尺のノズル部６が延設されているとともに、第２板部材４の表面４ｂ側には、第１板部材３のノズル部６が嵌合される長溝状の嵌合部７が形成されている。更に、ノズル部６の長さは、円盤状をなす板状体５の直径の略半分程度の長さに形成されており、板状体５の寸法内にノズル部６を納めることができる（図２参照）。【００１９】
図２及び図３（ａ）に示すように、第１板部材３の裏面３ｃには、凹部８が形成されており、ノズル部６の先端開口部９と凹部８とが連通されている。また、凹部８内部には、凹部８の開口側に向かって突出する略円錐形状をなす突起部１０が形成されている。この突起部１０の先端は第１板部材３の裏面３ｃから突出しないように、突起部１０の突出長が凹部８の奥行き長よりも短くなるように形成されている。【００２０】
図１に示すように、袋体２には、第１板部材３及び第２板部材４とが互いに接合された板状体５の裏面３ｃ，４ｃに固着される固着面２ａが形成されており、この固着面２ａには、十字状のハーフカットが施された膜部１１が、第１板部材３の裏面３ｃにおける凹部８に対応する部位に形成されている。【００２１】
尚、袋体２は、その膜部１１以外の固着面２ａ全体が接着剤等で板状体５の裏面３ｃ，４ｃ全体に固着されるようになっている。また、図２（ａ）及び図３（ａ）に示すように、袋体２が板状体５に固着された際に、袋体２の固着面２ａに形成された膜部１１は、凹部８の開口を覆うように配置され、袋体２内部と凹部８内部とが膜部１１によって区切られる。【００２２】
図３（ａ）に示すように、第１板部材３におけるノズル部６の先端には、第１板部材３の表面３ｂ側が切り欠かれた切欠部６ａが形成されるとともに、第２板部材４には、ノズル部６の切欠部６ａに係合される係合片１２が形成される。ノズル部６の切欠部６ａが、嵌合部７の係合片１２に係合されることで、不用意に外力が板状体５に加わっても、ノズル部６が嵌合部７から外れないようになっている。尚、嵌合部７及び係合片１２が実施例１におけるシール手段を構成している。【００２３】
次に、うがい薬容器１の使用例について説明すると、図２（ａ）に示すように、開封前のうがい薬容器１の形状は略円盤状をなしている。そのためうがい薬容器１を使用者のポケットやバック等に収納して携帯し易くなっている。特に、第１板部材３及び第２板部材４で構成される板状体５に角が形成されないため、使用者がポケット等にうがい薬容器１を収納するとき、及びポケット等からうがい薬容器１を取り出すときに、板状体５がポケットの縁に引っかかることを防止できる。また、１回分の使用量のうがい薬を充填させた小型で携帯し易いうがい薬容器１となっている。【００２４】
図２（ｂ）及び図３（ｂ）に示すように、うがい薬容器１を使用する際には、使用者が板状体５の周縁端部を摘むことで、板状体５がＶ字形状をなすように裏面３ｃ，４ｃ側に向かって折り曲げられる。すると板状体５を構成する第１板部材３及び第２板部材４の接合面３ａ，４ａ同士が離れて、ノズル部６が嵌合部７から外れるようになっており、ノズル部６が板状体５から突出される。【００２５】
尚、ノズル部６が嵌合部７から外れた状態、つまり板状体５の折曲開始時には、未だ袋体２内部のうがい薬は噴出されないので、使用者はノズル部６を自分の喉に向けて狙いを定めることができる（図４参照）。尚、接合面３ａ，４ａ同士が離れた状態では、第１板部材３及び第２板部材４は袋体２を介して連結されている。【００２６】
図２（ｃ）及び図３（ｃ）に示すように、第１板部材３と第２板部材４との間に袋体２が挟持されて袋体２が圧縮されるようになっている。更に、使用者が第１板部材３と第２板部材４とを指で摘まんで、裏面３ｃ，４ｃ同士が互いに近づく方向に押圧力を加えると、袋体２内部のうがい薬の流体圧が上昇し、袋体２の膜部１１が凹部８側に向けて膨出される。すなわち膜部１１が凹部８内部に入り込む。【００２７】
そして、膨出された膜部１１が凹部８内部に配置された突起部１０の先端に接触し、突起部１０が膜部１１を貫通する。このとき膜部１１に十字のハーフカット（図１参照）が施されていることにより、突起部１０が膜部１１を貫通させ易くなっている。【００２８】
袋体２内部に充填されたうがい薬は、突起部１０が貫通することで膜部１１に開いた穴から凹部８内部に流出する。凹部８内に流出されたうがい薬は、凹部８に連通されたノズル部６を通ってノズル部６の先端開口部９から噴出される。また、うがい薬は圧縮された袋体２内で所定の流体圧が加えられているため、勢いよくノズル部６の先端開口部９から噴出される（図４参照）。【００２９】
第１板部材３及び第２板部材４の裏面３ｃ，４ｃ同士に挟持された袋体２は、その内部の容積が無くなるまで圧縮できるようになっている。そのため使用者が指で摘まむだけで、袋体２内部の全てのうがい薬を袋体２内部から流出させることができる。【００３０】
図４に示すように、第１板部材３に長尺のノズル部６が設けられていることにより、口内にノズル部６を挿入して、喉にノズル部６の先端開口部９を近づけることができるようになり、うがい薬を喉に向けて正確に噴射することができる。【００３１】
また、ノズル部６が、折曲前の板状体５の寸法内に納まるとともに、折曲後に板状体５（第１板部材３）から突出される長さに形成されることで、うがい薬の噴出方向を定め易くするためにノズル部６を長く形成できるようになり、かつノズル部６を板状体５に納めた状態でうがい薬容器１を持ち運べるため、ノズル部６が邪魔にならず、かつ持ち運びの途中でノズル部６が折れることも防ぐことができる。【００３２】
本実施例におけるうがい薬容器１は、使用後に使い捨てるようになっているが、うがい薬容器１の使用時に、使用者の近くにゴミ箱等がない場合には、使用後のうがい薬容器１を使用者のポケットやバック等の内部に再び収納する必要がある。そのような場合には、第１板部材３及び第２板部材４の接合面３ａ，４ａ同士を再び当接させて、板状体５の形状を使用前の円盤形状の状態に戻すと（図２（ａ）参照）、ノズル部６が嵌合部７に再び嵌合される。【００３３】
すると、嵌合部７に嵌合されたノズル部６の先端に形成された切欠部６ａが、嵌合部７に設けられた係合片１２に係合され、ノズル部６嵌合部７から外れないようになるとともに、ノズル部６の先端開口部９が密閉される。【００３４】
このように少なくともうがい薬容器１（袋体２）の開封後に、ノズル部６の先端開口部９を閉塞できるシール手段としての嵌合部７及び係合片１２が設けられていることで、うがい薬容器１の開封後に、凹部８及びノズル部６内に残ったうがい薬が、ノズル部６の先端開口部９から液ダレしてしまうことを防止でき、使用後のうがい薬容器１をポケット等に再び収納しても、液ダレによってポケット等の内部が汚れることがなくなる。尚、使用後においてもうがい薬容器１が円盤状に形成されるため、うがい薬容器１をポケット等に収納して携帯し易くなっている。【００３５】
本実施例のうがい薬容器１は、円盤状（平板状）の板状体５が裏面３ｃ，４ｃ側に折曲可能となっており、板状体５の裏面３ｃ，４ｃには、内部に突起部１０が配置された凹部８が形成されるとともに、うがい薬（液体）が充填される袋体２が固着されており、袋体２内部のうがい薬が、袋体２内部と凹部８内部とを区切る膜部１１により密閉され、かつうがい薬を噴出するためのノズル部６が凹部８に連通されており、使用者が板状体５を折曲させるときの押圧力により突起部１０を膜部１１に貫通させ、袋体２内部のうがい薬が凹部８内に流出されてノズル部６から噴出されることで、使用者が指で摘まむ操作によって板状体５を折曲し始めた状態では、袋体２に充填されたうがい薬はノズル部６から噴出せず、使用者がノズル部６の方向を定めた後に、板状体５に押圧力を加えて更に折曲させることで、突起部１０が膜部１１を貫通して開封され、袋体２内のうがい薬がノズル部６から噴出されるようになり、うがい薬容器１の開封時に突発的なうがい薬の飛散を防止できる。【００３６】
また、折曲された板状体５（第１板部材３及び第２板部材４）に袋体２が挟持され、袋体２内部のうがい薬の圧力が上昇して膜部１１が凹部８側に膨出し、突起部１０が膜部１１を貫通する構成となっていることで、使用者は板状体５を折曲させる操作を行うだけで、袋体２内部の液体圧が上昇し、その液体圧を利用して膜部１１を突起部１０側に近づけて突起部１０により膜部１１を貫通させることができ、うがい薬を噴出させる開封操作が行い易くなっている。【００３７】
また、うがい薬容器１は、１回分の使用量に相当するうがい薬を容易に持ち運べるようになるため、うがい薬を旅先や出張先に持っていくときのみならず、ちょっとした外出の際などにも手軽に携帯して持ち運べるようになる。また、携帯するうがい薬容器１の個数を適宜選択することもでき、うがいをする回数分のうがい薬を携帯できるようになる。更に、使用前にはうがい薬が袋体２内部で密閉されているため、うがい薬が劣化したり腐食したりせずに長期間の保存が可能となっている。【００３８】
尚、複数のうがい薬容器１を携帯する際には、図５に示すような収納ケース１３に収納してもよい。この収納ケース１３は、複数のうがい薬容器１を積層した状態で収納できる円筒形状をなすケース体１４を有し、このケース体１４の上端には開口部１５が形成され、この開口部１５を横断するように抑え板１６が形成されている。更に、ケース体１４内部には、ケース体１４内部を区切る押圧板１７が設けられ、押圧板１７の下方に設けられたコイルバネ１８によって、押圧板１７が開口部１５に向かって押圧付勢されている。【００３９】
コイルバネ１８の付勢力によって押圧板１７を介して複数のうがい薬容器１が開口部１５側に向かって押圧されており、開口部１５に配置されたうがい薬容器１は、抑え板１６によって抑えられてケース体１４の外部に飛び出さないようになっている。尚、抑え板１６はケース体１４の上端部から突出された位置に設けられ、１つのうがい薬容器１が開口部１５から外部に露出されるようになっている。【００４０】
使用者が、うがい薬容器１を収納ケース１３から取り出す際には、抑え板１６によって抑えられた開口部１５から露出したうがい薬容器１を側方から指で押す。すると、うがい薬容器１が側方にスライド移動されて抑え板１６から外れるようになり、収納ケース１３から取り出すことができる。このような収納ケース１３を用いれば、複数のうがい薬容器１を持ち運ぶ際に嵩張らないようになる。
【実施例２】
【００４１】
次に、実施例２に係るうがい薬容器２０につき、図６及び図７を参照して説明する。図６（ａ）は、実施例２における開封前のうがい薬容器２０を示す斜視図であり、図６（ｂ）は、開封操作したときのうがい薬容器２０の斜視図であり、図６（ｃ）は、開封後のうがい薬容器２０を示す斜視図であり、図７（ａ）は、開封前のうがい薬容器２０を示す断面図であり、図７（ｂ）は、開封操作したときのうがい薬容器２０の断面図であり、図７（ｃ）は、開封後のうがい薬容器２０を示す断面図である。【００４２】
図６（ａ）及び図７（ａ）に示すように、実施例２における携帯用薬液容器としてのうがい薬容器２０は、１回分の使用量に相当する液体状のうがい薬が２つの袋体２１に分けて充填されており、この袋体２１同士は、各々の袋体２１から延設された連結膜２２によって連結されている。更に、略半円形状をなし、同一形状をなす２つの板部材２３を有し、互いの板部材２３の接合面２３ａ同士が接着されて、円盤状の板状体２４が形成される。【００４３】
また、各々の板部材２３には、短尺のノズル部２５と、互いのノズル部２５が嵌合される短溝状の嵌合部２６が形成されている。更に、各々の板部材２３の裏面２３ｃには、凹部２７が形成されており、ノズル部２５の先端開口部２８と凹部２７とが連通されるとともに、凹部２７内部には突起部２９が形成されている。【００４４】
図６（ａ）及び図７（ａ）に示すように、板部材２３同士が互いに接合され、各々の板部材２３の裏面２３ｃに、うがい薬が充填された袋体２１の固着面２１ａが固着される。各々の袋体２１の固着面２１ａには、実施例１と同様な十字状のハーフカットが施された膜部３０（袋体）が形成されている。袋体２１が板部材２３に固着された際に、各々の袋体２１の固着面２１ａに形成された膜部３０は、各々の凹部２７の開口を覆うように配置され、袋体２１内部と凹部２７内部とが膜部３０によって区切られる。【００４５】
また、板部材２３同士が接合して形成される円盤状の板状体２４の表面２３ａ側には、板状体２４の表面２３ａ全体を覆うシール体３１が貼り付けられる。シール体３１が貼り付けられることで、不用意に外力が板状体２４に加わっても、板状体２４が折り曲がらず、ノズル部２５が嵌合部２６から外れないようになっている。尚、嵌合部２６及びシール体３１が実施例２におけるシール手段を構成している。【００４６】
図６（ｂ）及び図７（ｂ）に示すように、うがい薬容器２０を使用する際には、使用者が板状体２４の周縁端部を摘むことで、板状体２４がＶ字形状をなすように裏面２３ｃ側に向かって折り曲げられる。すると板部材２３の接合面２３ａ同士が離れて、ノズル部２５が嵌合部２６から外れて板状体２４から突出される。【００４７】
板状体２４の折曲開始時には、未だ袋体２１内部のうがい薬は噴出されないので、使用者はノズル部２５を自分の喉に向けて狙いを定めることができる。尚、接合面２３ａ同士が離れた状態では、各々板部材２３は２つの袋体２１を連結する連結膜２２を介して連結されている。【００４８】
図６（ｃ）及び図７（ｃ）に示すように、２つの袋体２１は２つの板部材２３の間に挟持されて圧縮される。更に、使用者が板部材２３同士を指で摘まんで、裏面２３ｃ同士が互いに近づく方向に押圧力を加えると、袋体２１内部のうがい薬の流体圧が上昇し、袋体２１の膜部３０が凹部２７側に向けて膨出される。そして、膨出された膜部３０が凹部２７内部に配置された突起部２９の先端に接触し、突起部２９が膜部３０を貫通する。【００４９】
袋体２１内部に充填されたうがい薬は、突起部２９が貫通することで膜部３０に開いた穴から凹部２７内部に流出し、凹部２７に連通されたノズル部２５を通ってノズル部２５の先端開口部２８から噴出される。【００５０】
うがい薬容器２０の使用後には、板部材２３の接合面２３ａ同士を再び当接させて、板状体２４の形状を使用前の円盤形状の状態に戻すと（図６（ａ）参照）、ノズル部２５が嵌合部２６に再び嵌合される。そして、シール体３１を板状体２４の表面２３ａ側に貼り付ける。ノズル部２５の先端開口部２８は、嵌合部２６及びシール体３１によって密閉されるため、凹部２７及びノズル部２５内に残ったうがい薬が、ノズル部２５の先端開口部２８から液ダレしてしまうことを防止できる。
【実施例３】
【００５１】
次に、実施例３に係るうがい薬容器３２につき、図８及び図９を参照して説明する。図８（ａ）は、実施例３における開封前のうがい薬容器３２を示す斜視図であり、図８（ｂ）は、開封操作したときのうがい薬容器３２の斜視図であり、図８（ｃ）は、開封後のうがい薬容器３２を示す斜視図であり、図９（ａ）は、開封前のうがい薬容器３２を示す断面図であり、図９（ｂ）は、開封操作したときのうがい薬容器３２の断面図であり、図９（ｃ）は、開封後のうがい薬容器３２を示す断面図であり、図１０は、複数のうがい薬容器３２が連結された状態を示す斜視図である。【００５２】
図８（ａ）及び図９（ａ）に示すように、実施例３における携帯用薬液容器としてのうがい薬容器３２は、矩形状（平板状）をなす板状体３３と、１回分の使用量に相当する液体状のうがい薬が充填される袋体３４とを有している。板状体３３の表面３３ｂ側の中央部には、ハーフカット部３５が施されている。使用者が板状体３３の両端部を指で摘まんで力を加えると、板状体３３はハーフカット部３５から折曲されるようになっている。【００５３】
板状体３３の表面３３ｂ側には、外方に膨出するように形成された押圧部３６が設けられており、この押圧部３６には、板状体３３の表面３３ｂに沿って延びる長尺のノズル部３７が設けられている。このノズル部３７はハーフカット部３５を跨ぐように延設され、ノズル部３７の先端が板状体３３の縁辺部３３ｄまで延びている。【００５４】
また、板状体３３の縁辺部３３ｄには実施例３におけるシール手段としてのシール体３８が取り付けられている。シール体３８を板状体３３の表面３３ｂ側に貼り付けると、ノズル部３７の先端開口部３９がシール体３８によって覆われる。更に、シール体３８は板状体３３のハーフカット部３５を跨ぐように延設されている。このシール体３８が板状体３３に貼り付けられることにより、不用意に外力が板状体３３に加わって、板状体３３がハーフカット部３５から折曲されてしまうことが防止される。【００５５】
板状体３３に設けられた押圧部３６の裏面側には、凹部４０が形成されており、ノズル部３７の先端開口部３９と凹部４０とが連通されるとともに、凹部４０内部には突起部４１が形成されている。また、板状体３３の裏面３３ｃには凹部４０を覆うシート状の膜体４２（袋体）が貼り付けられている。尚、実施例３の膜体４２は袋体３４の別体として構成されている。【００５６】
液状のうがい薬を保持した袋体３４は、その周縁部３４ａ全体が板状体３３の裏面３３ｃにヒートシールにより溶着され、板状体３３と袋体３４とでうがい薬が密閉されて充填される。尚、袋体３４内部と凹部４０内部とは膜体４２によって区切られている。【００５７】
図８（ｂ）及び図９（ｂ）に示すように、うがい薬容器３２を使用する際には、使用者が板状体３３の両端部を摘むことで、板状体３３がＶ字形状をなすように裏面３３ｃ側に向かって折り曲げられる。すると板状体３３がハーフカット部３５から折曲され、ノズル部３７が板状体３３から突出される。板状体３３の折曲開始時には、未だ袋体３４内部のうがい薬は噴出されないので、使用者はノズル部３７を自分の喉に向けて狙いを定めることができる。【００５８】
図８（ｃ）及び図９（ｃ）に示すように、袋体３４は折曲された板状体３３に挟持されて圧縮される。更に、使用者が板状体３３を指で摘まみつつ、押圧部３６を指で押圧すると、凹部４０内の突起部４１が凹部４０内から突出し、突起部４１の先端が膜体４２を貫通する。【００５９】
尚、板状体３３の表面３３ｂに設けられた押圧部３６が押圧されることで、突起部４１が凹部４０内から突出されて膜体４２を貫通する構成となっていることで、押圧部３６を押圧したときの押圧力が直に突起部４１に伝達されるようになり、突起部４１を膜体４２に貫通させ易くなっている。【００６０】
そして、袋体３４内部に充填されたうがい薬は、突起部４１が貫通することで膜体４２に開いた穴から凹部４０内部に流出し、凹部４０に連通されたノズル部３７を通ってノズル部３７の先端開口部３９から噴出される。【００６１】
うがい薬容器３２の使用後には、板状体３３の形状を使用前の平板状の状態に戻し（図８（ａ）参照）、シール体３８を板状体３３の表面３３ｂ側に貼り付ける。するとノズル部３７の先端開口部３９は、シール体３８によって密閉されるため、凹部４０及びノズル部３７内に残ったうがい薬が、ノズル部３７の先端開口部３９から液ダレしてしまうことを防止できる。【００６２】
尚、図１０に示すように、予め複数のうがい薬容器３２を、各々の板状体３３の縁辺部同士を結合させた状態で製造し、使用時に１つのうがい薬容器３２を切り離して使用するようにしてもよい。このように複数のうがい薬容器３２を連結しておくことで、うがい薬容器３２をポケットやバック等の内部に収納して持ち運ぶ際に、散らばらずに済むようになる。【００６３】
以上、本発明の実施例を図面により説明してきたが、具体的な構成はこれら実施例に限られるものではなく、本発明の要旨を逸脱しない範囲における変更や追加があっても本発明に含まれる。【００６４】
例えば、前記実施例では、本発明の携帯用薬液容器としてのうがい薬容器１，２０，３２に、液体状のうがい薬が充填されているが、本発明の携帯用薬液容器は、うがい薬以外にも、目薬等の薬液やケチャップやソース等の液体調味料を充填する容器として用いるようにしてもよい。【００６５】
また、前記実施例では、板部材３，２３における接合面３ａ，２３ａからノズル部６，２５が突出され、このノズル部６，２５の先端開口部９，２８からうがい薬が噴出される構成となっているが、本発明のノズルは板部材３，２３から突出されたノズル部３ａ，２３ａのみならず、凹部と連通する開口部を板部材同士の接合面に設けることで、その開口部をノズルとして構成し、うがい薬を噴出できるようにしてもよい。【００６６】
また、前記実施例１，２では、膜部１１，３０が凹部８，２７内方に膨出されることで、突起部１０，２９に接触して貫通するようになっているが、本発明はこれに限定されるものではなく、例えば、凹部８，２７内に突起部１０，２９を設けずに、膜部１１，３０を袋体２，２１の他の部位よりも薄く形成することで、膜部１１，３０を袋体２，２１内部のうがい薬の流体圧の上昇によって破けるようにして、うがい薬を噴出させてもよい。
【図１】
2008010262.tif 000003
【図２】
2008010262.tif 000004
【図３】
2008010262.tif 000005
【図４】
2008010262.tif 000006
【図５】
2008010262.tif 000007
【図６】
2008010262.tif 000008
【図７】
2008010262.tif 000009
【図８】
2008010262.tif 000010
【図９】
2008010262.tif 000011
【図１０】
2008010262.tif 000012
【国際調査報告】
2008010262.tif 000013
2008010262.tif 000014
2008010262.tif 000015